(57)【要約】【課題】  噴霧の飛散を少なくする。【解決手段】  本発明の噴霧機１は、ポンプにより圧送される液体を噴霧する多頭口噴管５を備え、多頭口噴管５に配置された噴口１２の周囲を囲繞する飛散防止カバー３０が設置されている。飛散防止カバー３０は、噴口１２における噴霧上流側及び噴霧下流側にそれぞれ上流側開口３０ｅ及び下流側開口３０ｆを有しており、上流側開口３０ｅの開口面積よりも下流側開口３０ｆの開口面積の方が大きくなるように構成されている。【選択図】      図１
2008142073.tif 000002
【特許請求の範囲】
【請求項１】
ポンプにより圧送される液体を噴霧する噴管を備えた噴霧機において、
前記噴管に配置された噴口の周囲を略囲繞する飛散防止カバーが設置されており、
該飛散防止カバーは、前記噴口における噴霧上流側及び噴霧下流側にそれぞれ上流側開口及び下流側開口を有しており、前記上流側開口の開口面積よりも前記下流側開口の開口面積の方が大きくなるように構成された噴霧機。
【請求項２】
前記飛散防止カバーは、前記下流側開口に、前記噴霧下流側へ延びる可撓性の暖簾状部位が配設された請求項１記載の噴霧機。
【請求項３】
前記噴霧機は、前記噴口が圃場に向けて下向きに噴霧するように構成されており、
前記暖簾状部位の下側縁部は、前記圃場の表面形状に沿った形に形成された請求項２記載の噴霧機。
【請求項４】
前記飛散防止カバーは、前記噴口又は前記噴管に連結されており、前記噴口又は前記噴管とともに、噴霧機本体側に対して一体的に着脱可能に構成された請求項１〜３のいずれか一項に記載の噴霧機。
【請求項５】
前記噴管は、その長さ方向へ複数個の噴口が配置された多頭口噴管である請求項１〜４のいずれか一項に記載の噴霧機。
【請求項６】
前記飛散防止カバーが多頭口噴管の全部の噴口の周囲をまとめて囲繞するように構成された請求項５記載の噴霧機。
【請求項７】
前記飛散防止カバーが複数個に分割された請求項５記載の噴霧機。
【請求項８】
前記噴管は、その長さ方向へ伸縮可能に構成されており、
前記飛散防止カバーは、該噴管の伸縮に連動して伸縮するように構成された請求項１〜７のいずれか一項に記載の噴霧機。
【請求項９】
圃場を走行可能に１又は２以上の車輪に支持された機体を備え、該機体に前記噴管及び前記飛散防止カバーが装備された請求項１〜８のいずれか一項に記載の噴霧機。
【請求項１０】
前記機体を人力で進行させるためのハンドルが設置された請求項９記載の噴霧機。
【請求項１１】
前記車輪を駆動する駆動装置が前記機体に設置された請求項９記載の噴霧機。
【請求項１２】
別体の牽引装置に接続するための接続部が前記機体に設置された請求項９記載の噴霧機。
【請求項１３】
前記噴管は、前記機体の進行方向に対し垂直に支持された請求項９〜１２のいずれか一項に記載の噴霧機。
【発明の詳細な説明】
【技術分野】
【０００１】
本発明は、圃場に薬液、液肥、水等の液体を噴霧する噴霧機に関するものである。
【背景技術】
【０００２】
特許文献１には、圃場を走行可能に車輪５２に支持された機体５１に、ポンプ７１により圧送される液体を下向きに噴霧する多頭口噴管６５が支持された自走式噴霧機５０が記載されている。詳細は特許文献１に記載されているが、この自走式噴霧機５０は、図１０に示すように、機体５１が４輪の車輪５２により前後走行可能に支持され、機体５１のほぼ中央部に車輪５２を駆動するエンジン５７が設置され、機体５１の前端に多頭口噴管６５が水平にかつ機体５１の進行方向に対し垂直に支持されている。多頭口噴管６５には、動噴装置７０のリール７３から繰り出される給液ホース５５が連結され、動噴装置７０のポンプ７１により圧送される液体が給液ホース５５から多頭口噴管６５に供給され、噴口６６から噴霧されるようになっている。
【０００３】
特許文献２には、天丼壁及び左右の側壁からなる門形枠体を有し、その中に噴口を配置した牽引走行式噴霧機が記載されている。この噴霧機では、天丼壁及び左右の側壁により三方への薬液の飛散を防止でき、さらに天丼壁の後端から後方被いを垂らすことにより、後方への薬液の飛散を防止できるとされている。
【０００４】
【特許文献１】特開２００４−２０９４６４号公報
【特許文献２】特開２００５−１３０３７号公報
【発明の開示】
【発明が解決しようとする課題】
【０００５】
特許文献１に記載された自走式噴霧機５０により農薬を散布すると、無風状態に近くても浮遊する噴霧の飛散範囲は広く、風があると飛散範囲はさらに大きく拡大する。噴霧が例えば隣接する圃場に飛散し、そこの作物に付着した場合、作物に害を与えたり、知らないうちに農薬使用基準に違反するということが起こり得る。
【０００６】
一方、特許文献２に記載された牽引走行式噴霧機では、噴口の周囲を門形枠体で取り囲むことにより噴霧の横飛散を抑えている。しかし、門形枠体では、浮遊する噴霧が前後開口から外部に飛散するのを防ぐことはできず、たとえ後方被いを設置しても、浮遊する噴霧は被いの下を通って門形枠体から抜け出し、飛散する。特に開放された圃場で風があると、飛散防止効果は急激に低下する。さらに、門形枠体は噴霧機全体を被う大きさを有し、これを仮に特許文献１に記載された自走式噴霧機に適用して多数の畝列に同時に農薬散布しようとすれば、門形枠体が構造的に大きくなりすぎて、実用化は困難である。
【課題を解決するための手段】
【０００７】
上記課題を解決するために、第１の発明の噴霧機は、
ポンプにより圧送される液体を噴霧する噴管を備えた噴霧機において、
前記噴管に配置された噴口の周囲を略囲繞する飛散防止カバーが設置されており、
該飛散防止カバーは、前記噴口における噴霧上流側及び噴霧下流側にそれぞれ上流側開口及び下流側開口を有しており、前記上流側開口の開口面積よりも前記下流側開口の開口面積の方が大きくなるように構成されている。
【０００８】
前記「噴口の周囲を略囲繞」とは、前記噴口の周囲の全体を取り囲んでいる場合に限定されない。例えば、前記噴口の周囲における任意の１又は２以上の箇所に、穴、切れ目又は隙間等を有しながらも、前記飛散防止カバーの中で、前記噴口から噴霧すると、該飛散防止カバー内に前記上流側から空気が流れ込んで噴霧流が増幅され、上流側から下流側に向かって勢いよく流れる気流が発生するように、前記噴口の周囲を取り囲んでいるような場合も、前記「噴口の周囲を略囲繞」に含まれる。
【０００９】
この構成によれば、前記噴口は前記上流側及び前記下流側が開放した前記飛散防止カバーにより囲繞されている。前記飛散防止カバーの中で、前記噴口から噴霧すると、該飛散防止カバー内に前記上流側から空気が流れ込んで噴霧流が増幅され、上流側から下流側に向かって勢いよく流れる気流が発生し、噴霧はその気流とともに下流側に流れ、圃場に植えられた作物又は表土に付着する。しかも、前記上流側開口の開口面積よりも前記下流側開口の開口面積の方が大きくなるように構成されているので、該下流側開口から気流がスムーズに放出される。その結果、横方向への浮遊噴霧の飛散が減り、また風による飛散も抑えられる。なお、前記飛散防止カバーの上流側が開放されていない場合、上流側から下流側に向かう気流が発生しないだけでなく、該飛散防止カバー内が負圧になって、かえって噴霧が浮遊し、飛散が抑えられない。また、前記上流側開口の開口面積よりも前記下流側開口の開口面積の方が小さい場合、気流の一部が前記上流側開口に逆流することがあり、該上流側開口からも噴霧が放出されてしまうことがある。
【００１０】
第２の発明の噴霧機としては、前記第１の発明において、
前記飛散防止カバーは、前記下流側開口に、前記噴霧下流側へ延びる可撓性の暖簾状部位が配設された態様を例示する。
【００１１】
この構成によれば、前記下流側開口から前記暖簾状部位が垂れ下がり、該下流側開口と圃場表面側との隙間を狭くするので、噴霧の飛散をさらに低減することができる。なお、前記暖簾状部位は可撓性を有しているので、圃場に植えられた作物や表土に接触しても、これらを痛めることがなく、また、下流側へ向かう気流の流れを大きく妨げることもない。
【００１２】
第３の発明の噴霧機としては、前記第２の発明において、
前記噴霧機は、前記噴口が圃場に向けて下向きに噴霧するように構成されており、
前記暖簾状部位の下側縁部は、前記圃場の表面形状に沿った形に形成された態様を例示する。
【００１３】
前記圃場の表面形状とは、圃場自体の表面形状や、圃場に植えられた作物を含む表面形状をいう。
【００１４】
この構成によれば、前記下流側開口と圃場表面側との隙間をさらに狭くすることができるので、噴霧の飛散を、よりさらに低減することができる。
【００１５】
第４の発明の噴霧機としては、前記第１〜３のいずれかの発明において、
前記飛散防止カバーは、前記噴口又は前記噴管に連結されており、前記噴口又は前記噴管とともに、噴霧機本体側に対して一体的に着脱可能に構成された態様を例示する。
【００１６】
この構成によれば、該飛散防止カバーと前記噴口又は前記噴管とを噴霧機本体側から取り外すことにより、旋回時、運搬時、収納時等に占有スペースを小さくすることができる。この構成は、特に、次の多頭口噴管タイプの場合に有効である。
【００１７】
第５の発明の噴霧機としては、前記第１〜４のいずれかの発明において、
前記噴管は、その長さ方向へ複数個の噴口が配置された多頭口噴管である態様を例示する。
【００１８】
第６の発明の噴霧機としては、前記第５の発明において、
前記飛散防止カバーが多頭口噴管の全部の噴口の周囲をまとめて囲繞するように構成された態様（飛散防止カバーが１つの態様）を例示する。
【００１９】
第７の発明の噴霧機としては、前記第５の発明において、
前記飛散防止カバーが複数個に分割された態様（飛散防止カバーが２以上の態様）を例示する。ここで、各飛散防止カバーは１つの噴口の周囲のみを囲繞してもよく、２個以上の噴口の周囲をまとめて囲繞してもよい。
【００２０】
前記第６及び７の発明のように、前記飛散防止カバーとしては、前記噴管の形態等に応じて、種々の態様を採用することができる。
【００２１】
第８の発明の噴霧機としては、前記第１〜７のいずれかの発明において、
前記噴管は、その長さ方向へ伸縮可能に構成されており、
前記飛散防止カバーは、該噴管の伸縮に連動して伸縮するように構成された態様を例示する。
【００２２】
この構成によれば、圃場の形状や、栽培形態等に応じて適宜前記噴管及び前記飛散防止カバーの長さを調節することができる。
【００２３】
第９の発明の噴霧機としては、前記第１〜８のいずれかの発明において、
圃場を走行可能に１又は２以上の車輪に支持された機体を備え、該機体に前記噴管及び前記飛散防止カバーが装備された態様を例示する。
【００２４】
第１０の発明の噴霧機としては、前記第９の発明において、
前記機体を人力で進行させるためのハンドルが設置された態様を例示する。
【００２５】
第１１の発明の噴霧機としては、前記第９の発明において、
前記車輪を駆動する駆動装置が前記機体に設置された態様を例示する。
【００２６】
第１２の発明の噴霧機としては、前記第９の発明において、
別体の牽引装置に接続するための接続部が前記機体に設置された態様を例示する。
【００２７】
第１３の発明の噴霧機としては、前記第９〜１２のいずれかの発明において、
前記噴管は、前記機体の進行方向に対し垂直に支持された態様を例示する。
【００２８】
前記第９〜１３の発明によっても、本発明の効果を得ることができる。
【発明の効果】
【００２９】
本発明の噴霧機によれば、噴霧の飛散を少なくすることができる。
【発明を実施するための最良の形態】
【００３０】
図１〜図７は本発明を具体化した第一実施形態の噴霧機１を示している。この噴霧機１は、図１〜図４に示すように、圃場Ｈを走行可能に車輪２に支持された機体４に、ポンプ（図示略）により圧送される液体を下向きに噴霧する多頭口噴管５が支持されており、多頭口噴管５に配置された噴口１２の周囲を囲繞する飛散防止カバー３０が設置されている。
【００３１】
機体４は、一輪の車輪２で走行可能に構成されており、該機体４を人力で進行させるための手押しハンドル６と、走行停止時に機体４を支持するための跳ね上げ式スタンド７とを備えている。
【００３２】
本例の多頭口噴管５は、その長さ方向へ複数個の噴口１２が配置されており、機体４の進行方向に対し垂直に支持されている。多頭口噴管５は、三方コック８を介して互いに可撓性のホース１４及びジョイント部１５で連結された左右の噴管片９，９からなり、それぞれに下向きに噴霧する噴口１２が７個ずつ設置されている。ジョイント部１５は機体４に支持されており、各噴管片９はジョイント部１５により機体４から着脱可能になっている。三方コック８には、図示しない動噴装置のリールから繰り出される給液ホース１３が連結され、動噴装置のポンプにより圧送される液体が三方コック８，ホース１４，ジョイント部１５を介して多頭口噴管５に供給され、各噴口１２から噴霧されるようになっている。なお、三方コック８を操作することにより、左右の噴管片９，９のいずれかのみに液体を供給することも可能になっている。
【００３３】
本噴霧機１には、機体の左右に伸びる１つの飛散防止カバー３０が設置されており、飛散防止カバー３０は、多頭口噴管の全部（本例では１４個）の噴口１２の周囲をまとめて囲繞するように構成されている。飛散防止カバー３０内における噴口１２の位置は、飛散防止カバー３０内であれば、特に限定されないが、本例では飛散防止カバー３０の上下方向の中心位置よりやや上の位置としている。
【００３４】
本例の飛散防止カバー３０は、図１，図５及び図６に示すように、左右方向における中央部で、左右のカバー片３２，３２に分割可能に構成されており、各カバー片３２は、カバーの輪郭を決める骨格としての枠体３４と、枠体３４に沿って組付部材３８（図１参照。例えば、紐状部材、面ファスナー等。）で組み付けたプラスチックフィルム３５からなっている。左右のカバー片３２の接合部におけるプラスチックフィルム３５同士は、面ファスナー３９で貼り合わすようになっている。飛散防止カバー３０は、全体としてみると、前後方向に所定間隔を置き互いにやや傾斜させて配置された略台形の前面及び後面（前後面３０ａ，３０ｂ参照）と、その両端を塞ぐようにやや傾斜させて配置された略台形の両側面（両側面３０ｃ，３０ｄ参照）で構成される中空の部材で、上方及び下方に長方形の開口（上流側開口３０ｅ，下流側開口３０ｆ参照）が形成されているとともに、下流側開口３０ｆに、噴霧下流側へ延びる可撓性の暖簾状部位３６が配設されている。本例では、暖簾状部位３６は、プラスチックフィルム３５に一体形成されている。このように、飛散防止カバー３０は、噴口１２における噴霧上流側及び噴霧下流側にそれぞれ上流側開口３０ｅ及び下流側開口３０ｆを有しており、上流側開口３０ｅの開口面積よりも下流側開口３０ｆの開口面積の方が大きくなるように構成されている。
【００３５】
左右のカバー片３２は、図７に示すように、それぞれの枠体３４がそれぞれ機体左右の枠取付部３７に固定具３７ａ（例えば、ピン等）で着脱可能に固定されるようになっている。また、左右のカバー片３２は、それぞれ左右の噴管片９に連結されることにより、各噴管片９に一体化されている。このため、枠体３４と枠取付部３７との固定を解くとともに、噴管片９をジョイント部１５で取り外すことにより、カバー片３２及び噴管片９を一体的に噴霧機１から取り外すことができる。
【００３６】
本例の飛散防止カバー３０及び多頭口噴管５は、図２及び図３に二点鎖線で示すように、機体４の高さ調節部１６を介して高さ調節可能に支持されている。高さ調節部１６は、機体４の前部に立設された支柱１６ａと、該支柱１６ａに上下位置調節可能に設けられたスライド部１６ｂとを備え、スライド部１６ｂに飛散防止カバー３０及び多頭口噴管５が取り付けられている。スライド部１６ｂは、固定ネジ１６ｃにより、支柱１６ａに対する上下位置が固定されるようになっている。
【００３７】
本例の噴霧機１を作動させると、飛散防止カバー３０内において、上流側から下流側へ向かう気流により、機体４の左右に延びる飛散防止カバー３０及び多頭口噴管５がホバークラフト状に浮き上がるようになり、これが一種のパワーアシストとなり、比較的軽い力で操縦することができるようになっている。
【００３８】
なお、本例の噴霧機１では、飛散防止カバー３０の上下方向幅や開口３０ｅ，３０ｆの大きさ、あるいは飛散防止カバー３０内の噴口１２の上下方向位置など、望ましい下向き気流が発生するように、実験的に容易に求めることができる。また、飛散防止カバー３０の形状としては、本例に特に限定されず、例えば、囲繞する噴口１２の数によって円筒形、レーストラック形のものなど、種々の輪郭のものを適宜採用することができる。
【００３９】
以上のように構成された本発明の噴霧機１によれば、噴口１２は前記上流側及び前記下流側が開放した飛散防止カバー３０により囲繞されている。飛散防止カバー３０の中で、噴口１２から噴霧すると、図１に示すように、飛散防止カバー３０内に上流側開口３０ｅから空気が流れ込んで噴霧流Ｓが増幅され、上流側から下流側に向かって勢いよく流れる気流が発生し、噴霧はその気流とともに下流側に流れ、圃場Ｈに植えられた作物Ｃ又は表土に付着する。しかも、上流側開口３０ｅの開口面積よりも下流側開口３０ｆの開口面積の方が大きくなるように構成されているので、下流側開口３０ｆから気流がスムーズに放出される。その結果、横方向への浮遊噴霧の飛散が減り、また風による飛散も抑えられる。なお、飛散防止カバー３０の上流側が開放されていない場合、上流側から下流側に向かう気流が発生しないだけでなく、飛散防止カバー３０内が負圧になって、かえって噴霧が浮遊し、飛散が抑えられない。また、上流側開口３０ｅの開口面積よりも下流側開口３０ｆの開口面積の方が小さい場合、気流の一部が上流側開口３０ｅに逆流することがあり、該上流側開口３０ｅからも噴霧が放出されてしまうことがある。
【００４０】
なお、このように、下流側開口３０ｆが上流側開口３０ｅよりやや幅（前後方向幅及び左右方向幅）が広く形成されているのは、噴口１２からの噴霧が飛散防止カバー３０内で円錐状に広がるためもである。
【００４１】
また、飛散防止カバー３０は、下流側開口３０ｆに、噴霧下流側へ延びる可撓性の暖簾状部位３６が配設されているので、下流側開口３０ｆから暖簾状部位３６が垂れ下がり、該下流側開口３０ｆと圃場表面側との隙間を狭くするので、噴霧の飛散をさらに低減することができる。なお、暖簾状部位３６は可撓性を有しているので、圃場Ｈに植えられた作物Ｃや表土に接触しても、これらを痛めることがなく、また、下流側へ向かう気流の流れを大きく妨げることもない。
【００４２】
また、飛散防止カバー３０のカバー片３２は、噴管片９に連結されており、噴管片９とともに、噴霧機本体側に対して一体的に着脱可能に構成されている。このため、該カバー片３２と噴管片９とを噴霧機本体側から取り外すことにより、旋回時、運搬時、収納時等に占有スペースを小さくすることができる。この構成は、特に本例のような多頭口噴管タイプの場合に有効である。
【００４３】
次に、図８は本発明を具体化した第二実施形態を示している。この噴霧機は、以下に示す点において、主に第一実施形態と相違している。従って、同実施形態と共通する部分については、同一符号を付することにより重複説明を省く（以下、他の実施形態についても同様。）。
【００４４】
本例の飛散防止カバー３０における暖簾状部位３６の下側縁部３６ａは、圃場Ｈの表面形状に沿った形に形成されている。この構成によれば、第一実施形態と同様の効果に加え、下流側開口３０ｆと圃場表面側との隙間をさらに狭くすることができるので、噴霧の飛散を、よりさらに低減することができる。
【００４５】
次に、図９は本発明を具体化した第三実施形態を示している。この噴霧機は、以下に示す点において、主に第一実施形態と相違している。
【００４６】
本例の多頭口噴管５は、分割された複数の短管４１を可撓性ホース４２を介して連通させており、可撓性ホース４２に迂回部４２ａを設けて余長を持たせることにより、多頭口噴管５の長さ方向への伸縮を可能にしている。また、飛散防止カバー３０の枠体３４における可撓性ホース４２に対応する部位は、多頭口噴管５の長さ方向へ伸縮可能かつ締付具４４で伸縮長さを固定可能に構成された伸縮部位４５となっている。そして、可撓性ホース４２の両側の短管４１は、それぞれ伸縮部位４５の両側に連結具４６で固定されている。これにより、本例の飛散防止カバー３０は、多頭口噴管５の伸縮に連動して伸縮するように構成されている。ここで飛散防止カバー３０の伸縮部位４５が縮んだときは、該伸縮部位４５に張られたプラスチックフィルム３５が、該伸縮部位４５の伸縮方向に蛇腹状に折り畳まれた状態になるように構成されている。
【００４７】
この構成によれば、第一実施形態と同様の効果に加え、圃場Ｈの形状や、栽培形態等に応じて適宜多頭口噴管５及び飛散防止カバー３０の長さを調節することができる。
【００４８】
次に、図１１及び図１２は本発明を具体化した第四実施形態を示している。この噴霧機は、以下に示す点において、主に第一実施形態と相違している。
【００４９】
本例のカバー片８０は、枠取付部３７（図７参照）に取り付けられるカバーユニット取付部８１を備えており、該カバーユニット取付部８１に対して、１個又は２個以上（本例では２個）の中間用カバーユニット８２と、先端用カバーユニット８３とが、それぞれ結合部８４を介して直列状に結合されるようになっている。このように、本例のカバー片８０は、複数個（本例では３個）のユニット８２，８３に分解可能に構成されており、組み立てられた状態で第一実施形態における左右のカバー片３２と同等のものになるように構成されている。
【００５０】
カバーユニット取付部８１は、カバー片８０の側断面形状である略台形状に形成された台形枠体８１ａを備えている。中間用カバーユニット８２は、左右方向に延びる略台形柱状に構成された枠体８２ａを備え、該枠体８２ａの前面側及び後面側の２面には、暖簾状部位３６付きのプラスチックフィルム３５がそれぞれ張設されている。先端用カバーユニット８３は、左右方向に延びる略台形柱状に構成された枠体８３ａを備え、該枠体８３ａの前面側、後面側、及び側端面側の３面には、暖簾状部位３６付きのプラスチックフィルム３５がそれぞれ張設されている。
【００５１】
結合部８４は、図１２に示すように、結合対象の一方に設けられた結合部第一片８４ａと、結合対象の他方に設けられた結合部第二片８４ｂとにより構成されている。結合部第一片８４ａ及び結合部第二片８４ｂの結合構造については、特に限定されないが、本例では、結合部第一片８４ａに凹部８６を設けるとともに、該凹部８６に嵌入する凸部８７を結合部第二片８４ｂに設け、さらに固定ネジ８８で結合部第一片８４ａ及び結合部第二片８４ｂを固定する構造を例示する。
【００５２】
本例の噴霧機によれば、第一実施形態の効果に加え、カバー片８０が分解・組立可能に構成されているので、該カバー片８０の製造、組立、運搬又は収納等のときの占有スペースを少なくすることができる。
【００５３】
次に、図１３は本発明を具体化した第五実施形態を示している。この噴霧機は、以下に示す点において、主に第四実施形態と相違している。
【００５４】
本例の噴管片９０は、カバー片８０における各カバーユニット８２（８３）に対応する部分管９０ａごとに分割形成されてなっている。各部分管９０ａ同士は、それを支持する支持体９１同士が結合部９２を介して結合されとともに、各部分管９０ａの管内は可撓性ホース９３により互いに連通されるように構成されている。なお、各カバーユニット８２（８３）及びそれに対応する部分管９０ａを一体化し、ユニット化することも可能である。
【００５５】
本例の噴霧機によれば、第四実施形態の効果に加え、カバーユニット８２及び部分管９０ａを連結する数を変更することにより、カバー片８０及び噴管片９０の長さを圃場の広さ等に応じて柔軟に変更できる。
【００５６】
次に、図１４〜図１６は本発明を具体化した第六実施形態を示している。この噴霧機は、以下に示す点において、主に第一実施形態と相違している。
【００５７】
本例の噴霧機は、機体側方へ伸縮可能に構成された伸縮アーム１００を噴霧機の機体の左右にそれぞれ備えている。この伸縮アーム１００は、基端部１００ａが噴霧機の機体に支持された固定アーム１０１と、該固定アーム１０１の長手方向へ延設されたレール１０２と、該レール１０２に沿ってスライド可能に配設された移動アーム１０３とを備えている。そして、固定アーム１０１及び移動アーム１０３の長手方向には、それぞれ固定噴管片１０４及び移動噴管片１０５が延設されており、該固定噴管片１０４及び移動噴管片１０５には、長手方向に沿って複数の噴口１２が列設されている。また、固定噴管片１０４及び移動噴管片１０５には、それぞれ可撓性ホース１０６を介して噴霧用の液体が供給されるようになっている。
【００５８】
本例の飛散防止カバーは、固定アーム１０１に取り付けられ、該固定アーム１０１の前面側及び後面側をカバーする固定カバー片１０７と、移動アーム１０３に取り付けられ、移動アーム１０３の前面側、後面側、及び側端面側をカバーする移動カバー片１０８とを備えている。移動カバー片１０８の側断面形状は、固定カバー片１０７の側断面形状よりも一回り大きめに形成されており、図１５及び図１６に示すように、伸縮アーム１００を縮めると、固定カバー片１０７の外周に移動カバー片１０８が外装された状態となるように構成されている。
【００５９】
本例の噴霧機によれば、第三実施形態と同様の効果を得ることができる。
【００６０】
なお、本発明は前記実施形態に限定されるものではなく、例えば以下のように、発明の趣旨から逸脱しない範囲で適宜変更して具体化することもできる。
（１）飛散防止カバーが複数個に分割された態様。
（２）圃場Ｈを走行可能に２以上の車輪に支持された機体を備え、該機体に多頭口噴管５及び飛散防止カバー３０が装備された態様。
（３）飛散防止カバー３０を、例えば、自走式噴霧機や、牽引式噴霧機に適用すること。
（４）多頭口噴管５を有する噴霧機でなくても、ポンプにより圧送される液体を下向きに噴霧する噴管を有する噴霧機において、該噴管に配置された噴口１２の周囲を囲繞するとともに噴霧上流側及び噴霧下流側が開放した飛散防止カバーを設けることにより、同様に噴霧の飛散を抑制することができる。
（５）飛散防止カバーにより噴口の周囲を略囲繞する構成の変更例としては、特に限定されないが、次の態様を例示する。
（５−１）飛散防止カバー３０の前面及び後面の中央部に隙間Ｇ１，Ｇ２がある態様（図１７（ａ）参照）。
（５−２）飛散防止カバー３０の左右に隙間Ｇ３，Ｇ４がある態様（図１７（ｂ）参照）。
（５−３）前記（５−１）及び（５−２）を組み合わせた態様。
【図面の簡単な説明】
【００６１】
【図１】本発明の第一実施形態に係る噴霧機の飛散防止カバーを示す側断面図である。
【図２】同噴霧機の側面図である。
【図３】同噴霧機の正面図である。
【図４】同噴霧機の平面図である。
【図５】同飛散防止カバーを分解した状態の側面図である。
【図６】同分解した状態の正面図である。
【図７】同噴霧機の機体に対する同飛散防止カバーの取付構造を示す図であり、（ａ）は平面図、（ｂ）は側面図である。
【図８】本発明の第二実施形態に係る噴霧機の正面図である。
【図９】本発明の第三実施形態に係る噴霧機の飛散防止カバーの要部拡大正面図である。
【図１０】従来の噴霧機を示す平面図である。
【図１１】本発明の第四実施形態に係る噴霧機の要部を示す分解斜視図である。図である。
【図１２】同噴霧機の飛散防止カバーのカバーユニットを示す斜視図である。
【図１３】本発明の第五実施形態に係る噴霧機の要部を示す分解斜視図である。
【図１４】本発明の第六実施形態に係る噴霧機の伸縮アームが伸びた状態を示す斜視図である。
【図１５】同噴霧機の伸縮アームが縮んだ状態を示す斜視図である。
【図１６】図１５のＸＶＩ−ＸＶＩ線断面図である。
【図１７】本発明の飛散防止カバーの変更例の概略構成を示す平面図である。
【符号の説明】
【００６２】
１    噴霧機
２    車輪
４    機体
５    多頭口噴管
６    ハンドル
９    噴管片
１２    噴口
１６    高さ調節部
３０    飛散防止カバー
３０ａ，３０ｂ  前後面
３０ｃ，３０ｄ  側面
３０ｅ  上流側開口
３０ｆ  下流側開口
３２    カバー片
３４    枠体
３５    プラスチックフィルム
３６    暖簾状部位
３６ａ  下側縁部
３７    枠取付部
３７ａ  固定具
４１    短管
４２    可撓性ホース
４２ａ  迂回部
４４    締付具
４５    伸縮部位
４６    連結具
８０    カバー片
８２    中間用カバーユニット
８３    先端用カバーユニット
９０    噴管片
９０ａ  部分管
１００  伸縮アーム
１０１  固定アーム
１０２  レール
１０３  移動アーム
１０４  固定噴管片
１０５  移動噴管片
１０７  固定カバー片
１０８  移動カバー片
Ｃ      作物
Ｈ      圃場
Ｓ      噴霧流
Ｇ１〜Ｇ４  隙間
【図１】
2008142073.tif 000003
【図２】
2008142073.tif 000004
【図３】
2008142073.tif 000005
【図４】
2008142073.tif 000006
【図５】
2008142073.tif 000007
【図６】
2008142073.tif 000008
【図７】
2008142073.tif 000009
【図８】
2008142073.tif 000010
【図９】
2008142073.tif 000011
【図１０】
2008142073.tif 000012
【図１１】
2008142073.tif 000013
【図１２】
2008142073.tif 000014
【図１３】
2008142073.tif 000015
【図１４】
2008142073.tif 000016
【図１５】
2008142073.tif 000017
【図１６】
2008142073.tif 000018
【図１７】
2008142073.tif 000019